【手続補正書】
【提出日】平成17年10月17日(2005.10.17)
【手続補正１】
【補正対象書類名】明細書
【補正対象項目名】発明の名称
【補正方法】変更
【補正の内容】
【発明の名称】ディジタル放送受信システム、ディジタル放送受信システムにおけるデータ送信方法、及びディジタル放送の受信装置
【手続補正２】
【補正対象書類名】明細書
【補正対象項目名】特許請求の範囲
【補正方法】変更
【補正の内容】
【特許請求の範囲】
【請求項１】  映像データ及びオーディオデータが圧縮されてトランスポートストリームで送られるディジタル放送を受信し、上記ディジタル放送の受信信号をデコードするディジタル放送受信機器と、
ディジタル信号の処理を行う複数のディジタル信号処理機器とからなり、
上記ディジタル放送受信機器と上記複数のディジタル信号処理機器とをインターフェースを介して接続し、上記ディジタル放送受信機器と上記複数のディジタル信号処理機器との間でディジタル信号をやり取りするようにしたディジタル放送の受信システムにおいて、
上記ディジタル放送受信機器は、上記インターフェースを介して、ブロードキャストチャンネルで上記複数のディジタル信号処理機器にデータを送る際に、上記ブロードキャストチャンネルで送るデータを、トランスポートパケットとＰＣＭオーディオデータとで選択可能としたディジタル放送受信システム。
【請求項２】  請求項１に記載のディジタル放送受信システムにおいて、
上記トランスポートストリームで送られる映像データ及びオーディオデータは、ＭＰＥＧ２方式により圧縮されることを特徴とするディジタル放送受信システム。
【請求項３】  請求項１に記載のディジタル放送受信システムにおいて、
上記ディジタル放送受信機器と上記複数のディジタル信号処理機器とを接続する際、用いる上記インターフェースとして、ＩＥＥＥ１３９４を用いることを特徴とするディジタル放送受信システム。
【請求項４】  映像データ及びオーディオデータが圧縮されてトランスポートストリームで送られるディジタル放送を受信し、上記ディジタル放送の受信信号をデコードするディジタル放送受信機器と、
ディジタル信号の処理を行う複数のディジタル信号処理機器とをインターフェースを介して接続し、
ディジタル信号をやり取りするようにし、
上記インターフェースを介して、ブロードキャストチャンネルで上記複数のディジタル信号処理機器にデータを送る際に、上記ブロードキャストチャンネルで送るデータを、トランスポートパケットとＰＣＭオーディオデータとで選択し、送るようにしたディジタル放送受信システムにおけるデータ送信方法。
【請求項５】  請求項４に記載のディジタル放送受信システムにおけるデータ送信方法において、
上記トランスポートストリームで送られる映像データ及びオーディオデータは、ＭＰＥＧ２方式により圧縮されることを特徴とするディジタル放送受信システムにおけるデータ送信方法。
【請求項６】  請求項４に記載のディジタル放送受信システムにおけるデータ送信方法において、
上記ディジタル放送受信機器と上記複数のディジタル信号処理機器とを接続する際、用いる上記インターフェースとして、ＩＥＥＥ１３９４を用いることを特徴とするディジタル放送受信システムにおけるデータ送信方法。
【請求項７】  映像データ及びオーディオデータが圧縮されてトランスポートストリームで送られるデジタル放送を受信し、上記ディジタル放送をデコードするディジタル放送の受信装置において、
ディジタル信号の処理を行う複数のディジタル信号処理機器との間でデータをやり取りするインターフェースを備え、
上記インターフェースは、ブロードキャストチャンネルで上記複数のディジタル信号処理機器にデータを送る際に、上記ブロードキャストチャンネルで送るデータを、トランスポートパケットとＰＣＭオーディオデータとで選択する選択手段を設けるようにしたディジタル放送の受信装置。
【請求項８】  請求項７に記載のディジタル放送の受信装置において、
上記ブロードキャストチャンネルで送るデータを、トランスポートパケットとＰＣＭオーディオデータとで選択するための選択画面を表示することを特徴とするディジタル放送の受信装置。
【請求項９】  請求項７に記載のディジタル放送の受信装置において、
上記インターフェースを介して、上記ディジタル放送の受信装置に上記ディジタル信号処理機器を接続する際、上記ディジタル放送の受信装置に上記ディジタル信号処理機器を登録する登録手段を設けることを特徴とするディジタル放送の受信装置。
【請求項１０】  請求項９に記載のディジタル放送の受信装置において、
上記ディジタル放送の受信装置に上記ディジタル信号処理機器を登録するための登録画面を表示することを特徴とするディジタル放送の受信装置。
【請求項１１】  請求項９に記載のディジタル放送の受信装置において、
上記ディジタル放送の受信装置に上記ディジタル信号処理機器を登録する際、登録数を制限することを特徴とするディジタル放送の受信装置。
【請求項１２】  請求項１１に記載のディジタル放送の受信装置において、
上記ディジタル放送の受信装置に登録された上記ディジタル信号処理機器の数が、上記登録数の制限を超えた場合は、登録を行わないようにすることを特徴とするディジタル放送の受信装置。
【請求項１３】  請求項９に記載のディジタル放送の受信装置において、
上記ディジタル放送の受信装置に登録された上記ディジタル信号処理機器を変更する変更手段を設けることを特徴とするディジタル放送の受信装置。
【請求項１４】  請求項１３に記載のディジタル放送の受信装置において、
上記ディジタル放送の受信装置に登録された上記ディジタル信号処理機器を変更するための変更画面を表示することを特徴とするディジタル放送の受信装置。
【請求項１５】  請求項１３に記載のディジタル放送の受信装置において、
上記登録手段に登録され、予約画面が設定されたディジタル信号処理機器は、変更できないようにしたことを特徴とするディジタル放送の受信装置。
【請求項１６】  請求項７に記載のディジタル放送の受信装置において、
上記トランスポートストリームで送られる映像データ及びオーディオデータは、ＭＰＥＧ２方式により圧縮されることを特徴とするディジタル放送の受信装置。
【請求項１７】  請求項７に記載のディジタル放送の受信装置において、
上記ディジタル放送受信機器と上記複数のディジタル信号処理機器との間でデータをやり取りするインターフェースとして、ＩＥＥＥ１３９４を用いることを特徴とするディジタル放送の受信装置。
【手続補正３】
【補正対象書類名】明細書
【補正対象項目名】０００１
【補正方法】変更
【補正の内容】
【０００１】
【発明の属する技術分野】
この発明は、例えば、映像データ及びオーディオデータがＭＰＥＧ（Moving Picture Experts Group）２方式のトランスポートストリームで放送される信号を受信し、このトランスポートストリームをＩＥＥＥ（Institute of Electrical Electronic Engineers）１３９４のインターフェースを介してディジタル信号処理機器に送るようにしたディジタル放送受信システム、ディジタル放送受信システムにおけるデータ送信方法、及びディジタル放送の受信装置に関する。
【手続補正４】
【補正対象書類名】明細書
【補正対象項目名】０００５
【補正方法】変更
【補正の内容】
【０００５】
ＩＥＥＥ１３９４では、データの転送を行なう場合に、ノードのＩＤ番号が付与され、ＩＥＥＥ１３９４のバスに接続された機器間では、このノードのＩＤ番号により相手方が指定される。１つのバスのノード数は、ＩＥＥＥ１３９４の規格上では６４とされており、ノードのＩＤ番号は「０」〜「６３」まで割り当てられる。そのうち、最後のノード番号「６３」はブロードキャスト用とされている。このようなシステムでは、例えばＩＲＤで受信したデータを録画するような場合には、録画を行なう相手方の機器を指定して、ＩＲＤから相手方の機器にデータが転送される。このため、通常、ノード番号「６３」のブロードキャスト用のチャンネルは使用されていない。
【手続補正５】
【補正対象書類名】明細書
【補正対象項目名】０００７
【補正方法】変更
【補正の内容】
【０００７】
そこで、このような特定できないような機器が接続されることに備えて、ブロードキャストチャンネルを使用できるようにすることが考えられる。ブロードキャストチャンネルでは、そのバスに接続されて全ての機器にデータが送られるため、機器を特定することなく、データを送ることができる。
【手続補正６】
【補正対象書類名】明細書
【補正対象項目名】０００８
【補正方法】変更
【補正の内容】
【０００８】
このように、ブロードキャストチャンネルを使ってデータを送れるようにした場合には、未定義の機器にもデータを送れるようにする必要がある。例えば、ディジタルビデオテープ記録／再生装置の中には、ＭＰＥＧのトランスポートストリームをそのまま受信して記録することができる機器がある。このような機器に対しては、ＭＰＥＧのトランスポートストリームでデータを転送する必要がある。ところが、ＭＤ記録／再生装置のようなディジタルオーディオ機器では、ＭＰＥＧトランスポートストリームを受信しても、これをデコードすることができない。したがって、このような機器に対しては、ＰＣＭオーディオデータを転送する必要がある。
【手続補正７】
【補正対象書類名】明細書
【補正対象項目名】０００９
【補正方法】変更
【補正の内容】
【０００９】
このように、ブロードキャストチャンネルが使用できても、ブロードキャストチャンネルで使用するデータの種類を設定できないと、未定義の新たな機器が接続された場合に対応できない。
【手続補正８】
【補正対象書類名】明細書
【補正対象項目名】００１０
【補正方法】変更
【補正の内容】
【００１０】
したがって、この発明の目的は、ブロードキャストチャンネルを使ってデータを送る際に、各種の機器に対応できるようにしたディジタル放送受信システム、ディジタル放送受信システムにおけるデータ送信方法、及びディジタル放送の受信装置を提供することにある。
【手続補正９】
【補正対象書類名】明細書
【補正対象項目名】００１１
【補正方法】変更
【補正の内容】
【００１１】
【課題を解決するための手段】
この発明は、映像データ及びオーディオデータが圧縮されてトランスポートストリームで送られるディジタル放送を受信し、ディジタル放送の受信信号をデコードするディジタル放送受信機器と、ディジタル信号の処理を行う複数のディジタル信号処理機器とからなり、ディジタル放送受信機器と複数のディジタル信号処理機器とをインターフェースを介して接続し、ディジタル放送受信機器と複数のディジタル信号処理機器との間でディジタル信号をやり取りするようにしたディジタル放送の受信システムにおいて、ディジタル放送受信機器は、インターフェースを介して、ブロードキャストチャンネルで複数のディジタル信号処理機器にデータを送る際に、ブロードキャストチャンネルで送るデータを、トランスポートパケットとＰＣＭオーディオデータとで選択可能としたディジタル放送受信システムである。
この発明は、映像データ及びオーディオデータが圧縮されてトランスポートストリームで送られるディジタル放送を受信し、ディジタル放送の受信信号をデコードするディジタル放送受信機器と、ディジタル信号の処理を行う複数のディジタル信号処理機器とをインターフェースを介して接続し、ディジタル信号をやり取りするようにし、インターフェースを介して、ブロードキャストチャンネルで複数のディジタル信号処理機器にデータを送る際に、ブロードキャストチャンネルで送るデータを、トランスポートパケットとＰＣＭオーディオデータとで選択し、送るようにしたディジタル放送受信システムにおけるデータ送信方法である。
【手続補正１０】
【補正対象書類名】明細書
【補正対象項目名】００１２
【補正方法】変更
【補正の内容】
【００１２】
この発明は、映像データ及びオーディオデータが圧縮されてトランスポートストリームで送られるデジタル放送を受信し、ディジタル放送をデコードするディジタル放送の受信装置において、ディジタル信号の処理を行う複数のディジタル信号処理機器との間でデータをやり取りするインターフェースを備え、インターフェースは、ブロードキャストチャンネルで複数のディジタル信号処理機器にデータを送る際に、ブロードキャストチャンネルで送るデータを、トランスポートパケットとＰＣＭオーディオデータとで選択する選択手段を設けるようにしたディジタル放送の受信装置である。
【手続補正１１】
【補正対象書類名】明細書
【補正対象項目名】００１３
【補正方法】変更
【補正の内容】
【００１３】
ＩＥＥＥ１３９４のノード番号「６３」はブロードキャストチャンネルとされている。このブロードキャストチャンネルでは、全ての機器にデータが送られるので、未定義の機器に対しても、データを転送することができる。そして、ブロードキャストチャンネルでは、ＭＰＥＧのトランスポートストリームとＰＣＭオーディオとを選択できるので、未定義の機器がＩＥＥＥ１３９４のバスに接続された場合に、どのような機器にも対応できる。
【手続補正１２】
【補正対象書類名】明細書
【補正対象項目名】００３５
【補正方法】変更
【補正の内容】
【００３５】
ＩＥＥＥ１３９４では、ノードＩＤ番号が「０」から「６３」まであり、そのうち、最後のノード番号「６３」はブロードキャストチャンネルとされている。ノードのＩＤ番号の割り当ては、ＩＥＥＥ１３９４のバスに機器を接続したときに自動的に割り振られる。このとき、バスに接続されている機器のうち、５台までの機器が登録され、登録された機器にノードのＩＤ番号が割り当てられ、コネクションが張られる機器の台数が５台以内となるように制限されている。
【手続補正１３】
【補正対象書類名】明細書
【補正対象項目名】００５９
【補正方法】変更
【補正の内容】
【００５９】
また、未定義の機器が接続されることに備えて、「６３」のＩＤ番号のブロードキャストチャンネルが使用できる。このブロードキャストチャンネルでは、ＭＰＥＧのトランスポートパケットとＰＣＭオーディオデータとが選択できる。未接続時のＩＥＥＥ１３９４のバス出力をＭＰＥＧストリームにすると、ＭＰＥＧのトランスポートストリームがブロードキャストチャンネルで送信される。未接続時のＩＥＥＥ１３９４のバス出力をＰＣＭオーディオストリームにすると、ＰＣＭオーディオデータがブロードキャストチャンネルで送信される。
【手続補正１４】
【補正対象書類名】明細書
【補正対象項目名】００６０
【補正方法】変更
【補正の内容】
【００６０】
図１０は、ＩＥＥＥ１３９４の初期設定の画面を示すものである。図１０に示すように、初期設定画面では、接続時に相手機器の電源を入れるかどうかの選択表示８１と、接続時に相手機器をＩＥＥＥ１３９４入力にするかどうかの選択表示８２と、未接続時のＩＥＥＥ１３９４のバス出力をＭＰＥＧストリームにするかＰＣＭオーディオストリームにするかの選択表示８３が表示される。選択表示８２で、ＭＰＥＧストリーム側をチェックすると、ブロードキャストチャンネルでは、ＭＰＥＧのトランスポートストリームが送信されるようになる。ＰＣＭオーディオをチェックすると、ブロードキャストチャンネルでは、ＰＣＭオーディオデータが送信されるようになる。
【手続補正１５】
【補正対象書類名】明細書
【補正対象項目名】００６１
【補正方法】変更
【補正の内容】
【００６１】
このように、ブロードキャストチャンネルでは、ＭＰＥＧのトランスポートストリームとＰＣＭオーディオとを選択できる。つまり、ＭＰＥＧ方式で圧縮されたビデオデータやオーディオデータ、制御データは、ＭＰＥＧのトランスポートストリームのパケットで送ることができる。また、その他のデータであっても、トランスポートストリームに乗せられるデータは、トランスポートストリームのパケットで送ることができる。また、ＭＤ記録／再生装置のように、ＭＰＥＧ方式とは圧縮方式が異なっているようなデータは、ＰＣＭオーディオデータとして送ることができる。
【手続補正１６】
【補正対象書類名】明細書
【補正対象項目名】００６２
【補正方法】変更
【補正の内容】
【００６２】
【発明の効果】
この発明によれば、ＩＥＥＥ１３９４のノード番号「６３」のブロードキャストチャンネルが設定できる。このブロードキャストチャンネルでは、全ての機器にデータが送られるので、未定義の機器に対しても、データを転送することができる。そして、ブロードキャストチャンネルでは、ＭＰＥＧのトランスポートストリームとＰＣＭオーディオとを選択できるので、未定義の機器がＩＥＥＥ１３９４のバスに接続された場合に、どのような機器にも対応できる。
【手続補正１７】
【補正対象書類名】明細書
【補正対象項目名】図面の簡単な説明
【補正方法】変更
【補正の内容】
【図面の簡単な説明】
【図１】
この発明が適用されたディジタル衛星放送の受信システムの一例の略線図である。
【図２】
この発明が適用されたディジタル衛星放送の受信システムにおけるＩＲＤの背面パネルを示す背面図である。
【図３】
この発明が適用されたディジタル衛星放送の受信システムにおけるＩＲＤの構成を示すブロック図である。
【図４】
この発明が適用されたディジタル衛星放送の受信システムの説明に用いるブロック図である。
【図５】
この発明が適用されたディジタル衛星放送の受信システムにおけるＩＲＤにおけるコントロールパネル表示の説明に用いる略線図である。
【図６】
この発明が適用されたディジタル衛星放送の受信システムにおけるＩＲＤにおける設定表示の説明に用いる略線図である。
【図７】
この発明が適用されたディジタル衛星放送の受信システムにおけるＩＲＤにおける設定表示の説明に用いる略線図である。
【図８】
この発明が適用されたディジタル衛星放送の受信システムにおける機器の登録の説明に用いるフローチャートである。
【図９】
この発明が適用されたディジタル衛星放送の受信システムにおける機器の登録の説明に用いるフローチャートである。
【図１０】
この発明が適用されたディジタル衛星放送の受信システムにおけるブロードキャストの説明に用いる略線図である。